(57)【要約】 【課題】  サポーターに緩衝材を使用した場合でも、サポーターの外観を損ねることなく、携帯性に優れたサポーターを提供する。【解決手段】  足首用サポーターの本体１の足首前側と足首後側の内側に被覆シート５，６を設け、それぞれ面取り用シート７，８と共に４辺のうち上辺を除いた３辺を本体１と縫着して上部が開口したポケット状の緩衝材収納部３，４とし、前記緩衝材９，１０をそれぞれ前記被覆シート５，６と前記面取り用シート７，８の間に収納する。【選択図】図７
2016150140.tif 000002
【特許請求の範囲】
【請求項１】
緩衝材収納部を設けたサポーターにおいて、前記緩衝材収納部の外側生地と前記緩衝材との間に面取り用シートを設けると共に、前記面取り用シートの少なくとも一部が伸長可能となるように固定されたことを特徴とするサポーター。
【請求項２】
緩衝材収納部を足首前側及び／又は足首後側に設け、かつ、前記緩衝材収納部の外側生地と前記緩衝材との間に面取り用シートを設けると共に、前記面取り用シートの少なくとも一部が伸長可能となるように固定されたことを特徴とするサポーター。
【請求項３】
面取り用シートが、緩衝材収納部の素材より薄い伸縮性素材からなる、請求項１又は２に記載のサポーター。
【請求項４】
一対の伸縮部をサポーターの側面に設けたことを特徴とする、請求項３に記載のサポーター。
【請求項５】
内側伸縮部の幅が外側伸縮部の幅より大きいことを特徴とする、請求項４に記載のサポーター。
【請求項６】
緩衝材収納部を備えたサポーターにおいて、面取り用シートを前記緩衝材に被せると共に、面取り用シートの少なくとも一部を伸張させ、前記緩衝材を押圧することを特徴とする緩衝材の面取り方法。
【発明の詳細な説明】
【技術分野】
【０００１】
本発明は、足首等に用いられるサポーターに関するものである。
【背景技術】
【０００２】
肘、膝、足首等に用いられるサポーターには、着用する身体の部位を保護等するための緩衝材が使用される場合がある。それらの緩衝材は、サポーター生地に設けられているポケットに挿入するか、生地を二重にしてその間に挟ませることにより、サポーターに内包させることが多い。
【先行技術文献】
【特許文献】
【０００３】
【特許文献１】実用新案登録第３１７７７１３号公報
【発明の概要】
【発明が解決しようとする課題】
【０００４】
しかしながら、特許文献１に示す足首用サポーターのように、薄手で伸縮性のある生地に緩衝材を取り付けた場合や、生地の中に緩衝剤を内包した場合には、緩衝材の材質、形状によっては緩衝材の角がサポーター表面に現れ、外観を損ねてしまう。
また、サポーターの生地を厚くして外観が目立たないようにすると、サポーター全体が分厚くなり、携帯性が悪くなるという問題が生じる。
【０００５】
別の方法として、緩衝材の角を丸くする等、緩衝材を成型した場合には、緩衝材を成型するコストがかかるという製造上の問題がある。
【０００６】
そこで、本発明は、サポーターに緩衝材を使用した場合でも、比較的簡易な方法で、サポーターの外観を損ねることなく、携帯性に優れたサポーターを提供することを目的とするものである。
【課題を解決するための手段】
【０００７】
本発明は、上記課題を解決するためになされたもので、第１の発明は緩衝材収納部を設けたサポーターにおいて、前記緩衝材収納部の外側生地と前記緩衝材との間に面取り用シートを設けると共に、前記面取り用シートの少なくとも一部が伸長可能となるように固定されたことを特徴とするサポーターである。
【０００８】
第２の発明は、緩衝材収納部を足首前側及び／又は足首後側に設け、かつ、前記緩衝材収納部の外側生地と前記緩衝材との間に面取り用シートを設けると共に、前記面取り用シートの少なくとも一部が伸長可能となるように固定されたことを特徴とするサポーターである。
【０００９】
第３の発明は、第１又は第２の発明において、面取り用シートが、緩衝材収納部の素材より薄い伸縮性素材からなるサポーターである。
【００１０】
第４の発明は、第３の発明において、一対の伸縮部をサポーターの側面に設けたことを特徴とするサポーターである。
【００１１】
第５の発明は、第４の発明において、内側伸縮部の幅が外側伸縮部の幅より大きいことを特徴とするサポーターである。
【００１２】
第６の発明は、緩衝材収納部を備えたサポーターにおいて、面取り用シートを前記緩衝材に被せると共に、面取り用シートの少なくとも一部を伸張させ、前記緩衝材を押圧することを特徴とする緩衝材の面取り方法である。
【発明の効果】
【００１３】
本発明によれば、緩衝材を覆う生地が薄くても、面取り用シートに覆われた緩衝材の角が押圧されることにより、緩衝材の角が面取りされて外観を改善することができる。また、面取り用シートで押圧されることにより、緩衝材の位置ずれを防ぐことも期待できる。
【００１４】
そして、サポーターの生地を薄くすることができるため、サポーターの上から上着を着たり、ズボン、靴等を履くことができ、サポーターとしての機能を損ねることなく、しかも収納時にはコンパクトで携帯性に優れたサポーターとすることもできる。
【００１５】
本発明によれば、緩衝材を成型しなくとも角がある緩衝材をそのまま使用することができ、緩衝材を成型する場合に比べて製造コストを抑えることも期待される。
【００１６】
本発明によれば、サポーターの側面に伸縮部を設けることにより、サポーターの装着性が向上する。また、足首用のサポーターにおいては内側の伸縮部の幅を外側の伸縮部の幅より大きくすることにより、圧迫感が少なくフィットして装着感が向上し、かつ、足首サポーターが回転して位置ずれを起こすのを抑えることができる。
【図面の簡単な説明】
【００１７】
【図１】図１は、本発明の一実施例を示す正面図である。
【図２】図２は、本発明の一実施例を示す右側面図である。
【図３】図３は、本発明の一実施例を示す左側面図である。
【図４】図４は、本発明の一実施例を示す背面図である。
【図５】図５は、本発明の一実施例の使用状態を示す概略正面図である。
【図６】図６は、図５のＡ−Ａ線拡大一部断面図である。
【図７】図７は、図５のＢ−Ｂ線拡大一部断面図である。
【図８】図８は、本発明の一実施例の使用状態を示す概略斜視図である。
【図９】図９は、面取り用シートを追加挿入した状態を示す図５のＢ−Ｂ線拡大一部断面図である。
【発明を実施するための形態】
【実施例１】
【００１８】
図１〜図４は本発明の一実施例であるサポーターを示す正面図、右側面図、左側面図、背面図、図５はその概略正面図、図６は図５のＡ−Ａ線拡大一部断面図、図７は図５のＢ−Ｂ線拡大一部断面図、図８は本発明の一実施例の使用状態を示す概略斜視図である。  
【００１９】
図において、１は右足の足首用サポーターの本体、２は足の甲を保護する前甲部、３，４はそれぞれ本体１の足首前側と足首後側の内側に設けられた緩衝材収納部、５，６はそれぞれ前記緩衝材収納部３，４を構成する前記本体１の内側に縫着された被覆シート、７，８はそれぞれ前記緩衝材収納部３，４の内部に縫着された面取り用シート、９，１０は長方形のウレタン素材の緩衝材、１１，１２は伸縮部、１３は口ゴム部、１４は右足である。
【００２０】
前記緩衝材収納部３，４は、被覆シート５，６をそれぞれ面取り用シート７，８と共に４辺のうち上辺を除いた３辺を本体１と縫着して上部が開口したポケット状に構成されている。
なお、緩衝材収納部は、本実施例のように、緩衝材収納部の外側生地をサポーターの外側生地で形成することもできるが、サポーター本体とは別個の収納部としてもよい。
【００２１】
また、本実施例においては、緩衝材収納部は、足首前側及び足首後側に設けられているが、緩衝材収納部を設置する位置はこれに限定されるものではない。例えば、前甲部２の足の甲を保護する効果を高めるため、前甲部２に緩衝材収納部を設けてもよい。
なお、前甲部２は、サポーター内部に折り畳むことにより、足首の保護を強化することにも使用できる。
【００２２】
本体１を図８に示すように右足１４の足首に装着する際には、緩衝材９，１０を図６，７に示すようにそれぞれ被覆シート５，６と面取り用シート７，８の間に収納する。そして本体１を右足１４の足首に装着すると本体１は足首の形に合わせて伸縮すると共に、緩衝材９，１０の上面を覆う面取り用シート７，８の４辺が上下左右の外側に引っ張られ、図に示すように緩衝材９，１０の角が押されて変形して面取りされた状態になる。
【００２３】
本実施例では本体１や被覆シート５，６は靴下に使用されるメリヤス編み等で構成されるが、前記面取り用シート７，８はストッキングに使用されるプレーン編み、交編み、ゾッキ編み、ノンラン編み等の薄く伸縮性があり、かつ、締め付け効果が高い編み方で構成されており、本体１の生地の厚さが約１ｍｍに対して面取り用シート７，８の生地の厚さは約０．５ｍｍである。
【００２４】
そして、本実施例における本体１や被覆シート５，６の素材は、綿、アクリル、ポリエステル等の靴下に用いる素材であるが、面取り用シート７，８の素材は、ナイロン、ポリウレタン等のストッキングに用いる素材からなり、薄い伸縮性素材である。
【００２５】
なお、面取り用シートは、本体や被服シートに比べて薄く（例えば、本体生地の半分以下の厚さ）、伸縮性の高いものが好ましいが、本実施例で示した編み方や素材、厚さに限られない。
【００２６】
また、面取り用シート７，８の上辺の全体は縫着されていないが、上辺の両端は縫着され、上辺全体が本体と被覆シートに挟持されると共に足に押え付けられることにより面取り用シート７，８の上辺は固定されて上方に引っ張られる。このように面取り用シート７，８が使用時に伸縮すればよいため、面取り用シート７，８の四辺の全てを必ずしも縫着等で本体に固定しなくてもよい。
【００２７】
また、図９に示すように、面取り効果を上げるために、本体１と面取り用シート７，８の間に面取り用シート７１，８１を追加して挿入することができる。
【００２８】
また、本実施例によれば、面取り用シート７，８が四方に伸張されることにより緩衝材９，１０が押圧されており、緩衝材９，１０の位置ずれを押えることができる。
【００２９】
緩衝材９，１０はウレタン素材を使用しているが、スポンジゴム、シリコン素材や低反発素材等でもよく、本実施例に限られないことは勿論である。
【００３０】
本実施例によれば、面取り用シートにより緩衝材の角を押圧して面取りすることにより、緩衝材が目立たず、装着していても分かり難いと共に見た目も綺麗にすることができる。
【００３１】
そして、サポーターの本体及び前甲部の生地を薄くすることができるため、収納時にコンパクトになり、携帯性に優れ、また装着したまま靴を履くことができる。
【００３２】
また、面取り用シートを本体の一部である緩衝材収納部に緩衝材を覆うように設けるだけでよいため、緩衝材の角を丸くする等、緩衝材を成型する必要がないので緩衝材の成型コストがかからず、サポーターの製品の製造コストを下げることも期待される。
【００３３】
本実施例における伸縮部１１，１２の効果として、正座したときに足の甲の外側に体重がかかるため、足の甲を保護するために前記前甲部２を足の甲の外側に位置するように本体１を装着するが、この場合に本体１が足の形にフィットするように前記伸縮部１１，１２の横幅は約３：２の比率で構成されている。
【００３４】
また、本体１が足の形にフィットしているため、本体１が回転して位置ずれを起こすことの防止や、比率を１：１にした場合に比べて圧迫感が少ないという効果、幅が広い伸縮部が足の内側になることから、左右のサポーターの履き違いを防止する効果等が期待される。
【００３５】
本実施例では、一対の伸縮部として、足首の外側と内側の左右にそれぞれ伸縮部を設けているが、必ずしもその数や位置関係に限定されるものではない。特に、足首の外側に伸縮部がないものであっても、同様の機能を発揮することができる。
伸縮部の比率としては、例えば、外側の伸縮部の幅を１００％とした場合に、内側の伸縮部の幅を１１０％〜２００％とすることができ、その範囲は１３０％〜１７０％であることが好ましい。
【００３６】
なお、本実施例では足首用のサポーターに本発明を適用したものであるが、肘や膝、腰等の緩衝材を内包するサポーターにも本発明を適用することができ、本実施例に限られないことは勿論である。また、本発明のサポーターは、靴下や足袋、手袋の他、下着や衣類等とすることもできる。
【符号の説明】
【００３７】
１            本体
２            前甲部
３，４        緩衝材収納部
５，６        被覆シート
７，８        面取り用シート
９，１０      緩衝材
１１，１２    伸縮部
１３          口ゴム部
１４          右足
【図１】
2016150140.tif 000003
【図２】
2016150140.tif 000004
【図３】
2016150140.tif 000005
【図４】
2016150140.tif 000006
【図５】
2016150140.tif 000007
【図６】
2016150140.tif 000008
【図７】
2016150140.tif 000009
【図８】
2016150140.tif 000010
【図９】
2016150140.tif 000011